(57)【要約】【課題】  建設機械のカウンタウェイト用の銘板及び建設機械のカウンタウェイト用の銘板取り付け構造において、簡素な構成でユーザの所望の表示を機体に施すことができ、また、銘板のサイズを従来よりも大きくできるようにする。【解決手段】  建設機械のカウンタウェイトの背面に取り付けられる、建設機械のカウンタウェイト用の銘板４は、ボルト５が挿通される複数の挿通穴４３が、左右対称及び／又は上下対称に配置される。【選択図】        図１
2005315016.tif 000002
【特許請求の範囲】
【請求項１】
建設機械のカウンタウェイトの背面に取り付けられる、建設機械のカウンタウェイト用の銘板であって、
ボルトを挿通される複数の挿通穴が、左右対称及び／又は上下対称に配置された
ことを特徴とする、建設機械のカウンタウェイト用の銘板。
【請求項２】
上記の複数の挿通穴がそれぞれ長穴形状に形成された
ことを特徴とする、請求項１記載の建設機械のカウンタウェイト用の銘板。
【請求項３】
建設機械のカウンタウェイトの背面に銘板を取り付ける、建設機械のカウンタウェイト用の銘板取り付け構造であって、
上記の請求項１又は２記載の建設機械のカウンタウェイト用の銘板が、該銘板に設けられた挿通穴にそれぞれ挿通させたボルトにより該カウンタウェイトに固定された
ことを特徴とする、建設機械のカウンタウェイト用の銘板取り付け構造。
【請求項４】
上記のカウンタウェイトの背面に、該カウンタウェイトを該建設機械に固定するボルトの挿通される挿通穴が設けられ、
上記のカウンタウェイトに設けられた挿通穴は、上記のカウンタウェイトを該建設機械に固定するボルトのヘッドを収容する座ぐり穴を有し、
該座ぐり穴を覆うようにして、該銘板が該カウンタウェイトに固定された
ことを特徴とする、請求項３記載の建設機械のカウンタウェイト用の銘板取り付け構造。
【発明の詳細な説明】
【技術分野】
【０００１】
本発明は、建設機械のカウンタウェイトの背面に取り付けられる、建設機械のカウンタウェイト用の銘板、及び銘板をカウンタウェイト背面に取り付ける、建設機械のカウンタウェイト用の銘板取り付け構造に関する。
【背景技術】
【０００２】
油圧ショベル等の建設機械では、工場出荷時、カウンタウェイトの背面など人目につきやすい機体外面にメーカ名や製品名を記した銘板が取り付けられる場合が多い。このような銘板の多くは、印刷の施されたフィルムを貼り付けるステッカータイプのものである。
しかし、ユーザが、人目につきやすいカウンタウェイトの背面にユーザ会社名や注意書きなどの所望の表示を施すことを希望することもある。このような場合、上記の所望の表示を、工場出荷時に貼り付けられていた銘板を剥がして、この銘板の貼り付けられていた箇所にあらためて施したり、上記銘板の張られている箇所を避けて施したりしていた。
【０００３】
また、特許文献1には、機体外面部に、任意の文字や図形を表示可能な表示器を設け、通常は、記憶媒体に登録された表示データを表示してユーザ会社名等のアピールを行う一方、旋回操作時には、旋回警告メッセージを表示して周囲の作業者に注意を促すようにした技術が開示されている。
【特許文献１】特開平９−８１０６５号公報
【発明の開示】
【発明が解決しようとする課題】
【０００４】
しかしながら、上述したように、工場出荷時に取り付けられていた銘板を剥がして、ユーザ社名などの表示を新たに行なう場合には、新たな銘板の製作やペインティングが必要となる。また、工場出荷時に取り付けられていた銘板を避けて、新たな銘板を取り付ける場合には、その銘板の配置や大きさが、制限され、希望通りにならないことがある。
さらに、人目に付きやすい場所として最も好適な場所であるカウンタウェイト背面に、カウンタウェイトを機体に固定するためのCTWTボルトが配置されている建設機械もある。このような場合、カウンタウェイトの交換やメンテナンスなどを行なう際に上記CTWTボルトの取り付け及び取り外しが必要となることから、上記ボルトの取り付け位置を避けて銘板を貼り付けなければならない。このため、銘板を、カウンタウェイト背面における希望の場所に配置できなかったり、カウンタウェイト背面に配置できなかったりする課題もある。
【０００５】
また、上記特許文献1の技術は任意の文字や図形を表示できるが構成が大掛かりなものとなり、単にメーカ名のかわりにユーザ名を表示したいような場合には、オーバスペックとなり過剰にコストが掛かってしまう。
本発明はこのような課題に鑑み創案されたもので、簡素な構成でユーザの所望の表示を機体に施すことができ、また、銘板のサイズを従来よりも大きくできるようにした、建設機械のカウンタウェイト用の銘板及び建設機械のカウンタウェイト用の銘板取り付け構造を提供することを目的とする。
【課題を解決するための手段】
【０００６】
上記目的を達成するために、請求項１記載の本発明の建設機械のカウンタウェイト用の銘板は、建設機械のカウンタウェイトの背面に取り付けられる、建設機械のカウンタウェイト用の銘板であって、ボルトを挿通される複数の挿通穴が、左右対称及び／又は上下対称に配置されたことを特徴としている。
請求項２記載の本発明の建設機械のカウンタウェイト用の銘板は、請求項１記載の建設機械のカウンタウェイト用の銘板において、上記の複数の挿通穴がそれぞれ長穴形状に形成されたことを特徴としている。
【０００７】
請求項３記載の本発明の建設機械のカウンタウェイト用の銘板取り付け構造は、建設機械のカウンタウェイトの背面に銘板を取り付ける、建設機械のカウンタウェイト用の銘板取り付け構造であって、上記の請求項１又は２記載の建設機械のカウンタウェイト用の銘板が、該銘板に設けられた挿通穴にそれぞれ挿通させたボルトによりカウンタウェイトに固定されたことを特徴としている。
【０００８】
請求項４記載の本発明の建設機械のカウンタウェイト用の銘板取り付け構造は、請求項３記載の建設機械のカウンタウェイト用の銘板取り付け構造において、上記のカウンタウェイトの背面に、該カウンタウェイトを該建設機械に固定するボルトの挿通される挿通穴が設けられ、上記のカウンタウェイトに設けられた挿通穴は、上記のカウンタウェイトを該建設機械に固定するボルトのヘッドを収容する座ぐり穴を有し、該座ぐり穴を覆うようにして、該銘板が該カウンタウェイトに固定されたことを特徴としている。
【発明の効果】
【０００９】
本発明によれば、銘板が建設機械のカウンタウェイトにボルト止めされ、銘板にボルトを挿通するための複数の挿通穴が左右対称及び／又は上下対称に配置されているので、銘板の表裏の各面をそれぞれ外側に向けてカウンタウェイトに取り付けることができ、銘板の上記各面を表示面とすることが可能となる結果、簡素な構成でユーザの所望の表示を機体に施すことができるようになる。
【００１０】
さらに、銘板が建設機械のカウンタウェイトにボルトにより固定されるので銘板の取り付け／取り外しを容易に行なえるため、カウンタウェイトを固定するためにカウンタウェイトに設けられたボルトの挿通穴を塞ぐようにして銘板をカウンタウェイトに取り付けることが可能となり、この結果、銘板のサイズを従来よりも大きくできるようになる。
【発明を実施するための最良の形態】
【００１１】
以下、図面を参照しながら本発明の実施の形態について説明する。
図１〜図３は本発明の一実施形態の建設機械のカウンタウェイト用の銘板及び建設機械のカウンタウェイト用の銘板取り付け構造について説明するための図であり、図１はカウンタウェイト又は銘板の構成を示す図であって、（ａ）のカウンタウェイトを斜め後方からみた模式的な斜視図、（ｂ）は銘板の一方の面を示す模式図、（ｃ）は銘板の他方の面を示す模式図、図２は銘板をカウンタウェイトへ固定するボルト締結部の構成を示す平面視による模式的な断面図、図３は建設機械の全体構成を示す模式的な斜視図である。
【００１２】
なお、ここでいう銘板とは、メーカ名やユーザ名だけでなく注意書きなどの所望の表示の施される厚さの薄い部材をいい、プラスチック製又はアルミニウムなどの金属製の板材だけでなくラミネートフィルムなども含むものである。
また、以下の実施形態では、本発明を建設機械として油圧ショベルに適用した例を説明するが、本発明は、油圧ショベルに限定されず、ホイールローダ，クレーンなどの種々の建設機械に適用しうるものである。
【００１３】
本発明の一実施形態にかかる建設機械は、図３に示すように、下部走行体１と、下部走行体１の上側に旋回可能に配設された上部旋回体２と、上部旋回体２に設けられ種々の作業を行なう作業装置３との３つの部分で構成されている。このうち上部旋回体２には、その前部にキャビン２Ａ、キャビン２Ａの後方の建屋カバー内にエンジンルーム２Ｂが、機体最後尾にカウンタウェイト２Ｃが配置されている。
【００１４】
そして、図１（ａ）に示すように、カウンタウェイト２Ｃの平面状の背面２Ｃａには、メーカ名を示す表示の記載された面４１を表に向けて銘板４が取り付けられている。銘板４は、図１（ｂ）に示すように、左右に長い長方形のものであり、その４隅と、その上辺中央と、その下辺中央に、それぞれ挿通穴４３が設けられ、また、カウンタウェイト２Ｃの背面２Ｃａには、上記挿通穴４３に対応してボルト穴が設けられている。上記挿通穴４３に挿通させた各ボルト５を対応する上記ボルト穴にそれぞれ螺合させることで、銘板４は、カウンタウェイト２Ｃの背面２Ｃａに取り外し可能に固定されている。
【００１５】
上記挿通穴４３は銘板４に左右対称に配置されているので（銘板４の所定の鉛直線Ｌｖを中心に対称に配置されているので）、銘板４を左右方向に（上記鉛直線Ｌｖを中心に）１８０度反転させて裏返しても、その挿通穴４３の配置が、それぞれカウンタウェイト２Ｃの上記ボルト穴の配置に一致するようになっている。つまり、銘板４を左右方向に１８０度反転させて、上記メーカ名の表示のある面４１とは反対の面（面４１に対する裏面）４２を表にして、カウンタウェイト２Ｃに取り付けられるようになっている。即ち、銘板４は、その両面４１，４２の何れを表側としてもカウンタウェイト背面２Ｃａの所定箇所に取り付けることのできるリバーシブル構造となっているのである。なお、上記鉛直線Ｌｖは、ここでは、銘板４の左右方向に関する対称中心線である。
【００１６】
このため、建設機械のユーザが機体にユーザ名を表示することを望むのであれば、銘板４のメーカ名の記載された面４１の反対面４２に、例えば図１（ｃ）に示すようなユーザ名を記載して、この面４２を表にしてカウンタウェイト２Ｃに取り付けることができる。
また、銘板４の上記挿通穴４３は左右方向に長い長穴形状に形成されている。これにより、加工誤差のため挿通穴４３が完全に左右対称に配置されていない場合でも、上記加工誤差が上記長穴形状により吸収されるので、銘板４を両面４１，４２に何れを表側として取り付けることが可能となっている。
【００１７】
また、ここでは、上記のカウンタウェイト２Ｃの背面２Ｃａには、カウンタウェイト２Ｃを機体に固定するための複数のCTWTボルト６が挿通されている。図２に示すように、このCTWTボルト６の挿通穴７には、CTWTボルト６のヘッド６１を収容する座ぐり穴７１が設けられており、上記ヘッド６１は、カウンタウェイト背面（銘板取付面）２Ｃａよりも機体前方に引っ込むようになる。銘板４は、これらの座ぐり穴７１を覆うようにして背面２Ｃａに取り付けられている。
【００１８】
本発明の一実施形態としての建設機械のカウンタウェイト用の銘板取り付け構造は上述のように構成されているので、銘板４の両面４１，４２を表示面として使用できることから簡素な構成により、ユーザの所望の記載を人目につきやすいカウンタウェイト背面２Ｃａに表示することができるという利点がある。
また、メンテナンスなどのため、カウンタウェイト２Ｃは機体から取り外されることがあり、この取り外しの際、CTWTボルト６が外される。従来の銘板は、カウンタウェイト２Ｃに貼り付けらることから、取り付けと取り外しとを繰り返すには不向きであり、このため、図１（ａ）に二点鎖線で示すように挿通穴７の内側に入るような大きさに制限されていた。
【００１９】
これに対し、銘板４は、カウンタウェイト２Ｃへの取り付け及び取り外しを容易に行なえるようカウンタウェイト２Ｃにボルト止めされているので、カウンタウェイト２Ｃのメンテナンスを行なう際には、銘板４を外した後、CTWTボルト６を外してカウンタウェイト２Ｃを取り外し、メンテナンス終了後、CTWTボルト６を羅合してカウンタウェイト２Ｃを取り付けた後、銘板４を取り付ければよく、また、このような一連の作業を用に行なうことができる。このため、銘板４のサイズがCTWTボルト６の内側に収まるようなサイズに限定されず、図示するようにカウンタウェイト背面２Ｃａの略全体にわたるようなサイズにまで大きくすることができる。
【００２０】
本発明は、上記実施形態に限定されず、本発明の趣旨を逸脱しない範囲で種々変形することが可能である。
例えば、上記実施形態では、銘板４を左右に１８０度回転させるようにして反転させてもカウンタウェイト２Ｃに取り付けられるようにボルト５の挿通穴４３を左右対称に銘板４に配置したが、銘板４を上下に〔所定の水平線Ｌｈ（図１参照）を中心に〕１８０度回転させるようにして反転させてもカウンタウェイト２Ｃに取り付けられるようにボルト５の挿通穴４３を上下対称に銘板４に配置してもよい（銘板４の上記水平線Ｌｈを中心に対称に配置しても良い）。なお、上記水平線Ｌｈは、ここでは銘板４の上下方向に関する対称中心線に設定されている。
【００２１】
また、上記実施形態では、銘板４の挿通穴４３を、左右に長い長穴としたが上下方向に長い長穴としても良い。
また、上記実施形態では、銘板４を平面状のカウンタウェイト背面２Ｃａに取り付けたが、建設機械の機種によっては、カウンタウェイト背面が湾曲形状のものもある。可撓性の材質により銘板を構成することにより、このような湾曲形状のカウンタウェイト背面にも銘板をリバーシブルに取り付けることが可能となる。
【図面の簡単な説明】
【００２２】
【図１】本発明の一実施形態としての建設機械のカウンタウェイト用の銘板及び建設機械のカウンタウェイト用の銘板取り付け構造について示す図であって、（ａ）のカウンタウェイトを斜め後方からみた模式的な斜視図、（ｂ）は銘板の一方の面を示す模式図、（ｃ）は銘板の他方の面を示す模式図。
【図２】本発明の一実施形態にかかる、銘板をカウンタウェイトへ固定するボルトの締結部の構成を示す平面視による模式的な断面図である。
【図３】本発明の一実施形態にかかる建設機械の全体構成を示す模式的な斜視図である。
【符号の説明】
【００２３】
２Ｃ  カウンタウェイト
２Ｃａ  カウンタウェイト背面（銘板取付面）
４  銘板
４３  挿通穴
５  ボルト
【図１】
2005315016.tif 000003
【図２】
2005315016.tif 000004
【図３】
2005315016.tif 000005